(57)【特許請求の範囲】
【請求項１】
１つの扉に主錠と少なくとも１つの補助錠とが固定されてなる錠において、上方の主錠に下方の補助錠を連動させて施錠可能な連結機構を有し、前記連結機構は補助錠の解錠動作を主錠に連動させず、主錠および補助錠を各々個別に解錠可能であり、連結機構は連結片を有し、主錠と補助錠とは連結片で連結されており、主錠を施錠すると連結片が補助錠の一部を押圧して補助錠が施錠されるものであり、補助錠を解錠する際には連結片は補助錠の一部で押圧されて変形し、連結片が主錠を押圧できなくなり、連結片は揺動片を有し、揺動片は連結片に揺動可能に軸支され、且つ揺動片の一方の端部は連結片から離れる方向に付勢されており、主錠の施錠時には、揺動片は付勢力によってその姿勢を保持して補助錠の一部を押圧して補助錠を施錠し、下方の補助錠を解錠する時には、揺動片は補助錠の一部で押圧されて連結片に近接し、揺動片が連結片を介して主錠を押圧できなくなることを特徴とする錠。
【請求項２】
１つの扉に主錠と少なくとも１つの補助錠とが固定されてなる錠において、主錠に補助錠を連動させて施錠可能な連結機構を有し、前記連結機構は補助錠の解錠動作を主錠に連動させず、主錠および補助錠を各々個別に解錠可能であり、
連結機構は連結片を有し、主錠と補助錠とは連結片で連結されており、主錠を施錠すると連結片が補助錠の一部を押圧して補助錠が施錠されるものであり、補助錠を解錠する際には連結片は補助錠の一部で押圧されて変形し、連結片が主錠を押圧できなくなり、
連結片は揺動片を有し、揺動片は連結片に揺動可能に軸支され、且つ揺動片の一方の端部は連結片から離れる方向に付勢されており、主錠の施錠時には、揺動片は付勢力によってその姿勢を保持し、補助錠の解錠時には、揺動片は補助錠の一部で押圧されて連結片に近接し、
補助錠は補助デッドハブを有し、補助デッドハブは揺動片に連動可能であり、主錠の施錠時には、揺動片が補助デッドハブを押圧して施錠方向に回動させ、補助錠の解錠時には、補助デッドハブが解錠方向に回動して揺動片を押圧することを特徴とする錠。
【請求項３】
揺動片は押圧面と乗上面を有し、
押圧面は揺動片の外周面に位置しており、乗上面は押圧面に直交する位置に有り、
補助デッドハブは腕部を有し、腕部の先端側には当接部が設けられており、
主錠が解錠された状態においては、押圧面は当接部に略対向する位置にあり、
主錠の施錠時には、押圧面が当接部を押圧して補助デッドハブを回動させると、乗上面と当接部とが略対向することを特徴とする請求項２に記載の錠。
【請求項４】
補助錠の解錠時に、補助デッドハブは乗上面に乗り上げることを特徴とする請求項３に記載の錠。
【請求項５】
乗上面は、揺動片の少なくとも１つの角部を面取り加工してなることを特徴とする請求項４に記載の錠。
【請求項６】
請求項１〜５のいずれかに記載の錠を有することを特徴とする扉構造。
【発明の詳細な説明】
【技術分野】
【０００１】
本発明は錠および扉構造に関し、さらに詳細には、１つの扉に主錠と少なくとも１つの補助錠とが固定されてなる錠および扉構造に関する。本発明の錠および扉構造は、施錠することが容易にでき、且つ解錠することが容易にできないものである。
【背景技術】
【０００２】
玄関扉の防犯対策として、１つの扉に２つ以上の錠を取り付けることが有効である。しかし、複数の錠を施錠および解錠することは手間であり、日常生活において不便である。電動で複数の錠を連動させる電気錠も存在するが、システムが大掛かりとなり、既存の住宅等へは導入することにためらいが生じてしまう。特許文献１には、電気を用いずに複数の錠を連動可能な連錠が開示されている。
特許文献１に開示された連錠は、連動カムに接続された連結ロット棒を有しており、連動カムはデッドボルトに接続されている。連結ロット棒の上下端部にはジョイントが設けられており、各連錠が有するジョイント同士を接続することにより、複数の連錠が連動可能とされている。
【先行技術文献】
【特許文献】
【０００３】
【特許文献１】特開２００４−７６４１７号公報
【発明の概要】
【発明が解決しようとする課題】
【０００４】
ところが、特許文献１に開示された連錠では、連結された複数の連錠が全く同一の動作を行ってしまう。このため、例えば、複数の錠の内１つの錠が破られ解錠されてしまうと、その錠に連動して全ての錠が解錠されるという問題が生じる。
【０００５】
上記した現状に鑑み、本発明は施錠することが容易にでき、且つ解錠することが容易にできない錠および扉構造の提供を目的とする。
【課題を解決するための手段】
【０００６】
上記課題を解決するための請求項１に記載の発明は、１つの扉に主錠と少なくとも１つの補助錠とが固定されてなる錠において、上方の主錠に下方の補助錠を連動させて施錠可能な連結機構を有し、前記連結機構は補助錠の解錠動作を主錠に連動させず、主錠および補助錠を各々個別に解錠可能であり、連結機構は連結片を有し、主錠と補助錠とは連結片で連結されており、主錠を施錠すると連結片が補助錠の一部を押圧して補助錠が施錠されるものであり、補助錠を解錠する際には連結片は補助錠の一部で押圧されて変形し、連結片が主錠を押圧できなくなり、連結片は揺動片を有し、揺動片は連結片に揺動可能に軸支され、且つ揺動片の一方の端部は連結片から離れる方向に付勢されており、主錠の施錠時には、揺動片は付勢力によってその姿勢を保持して補助錠の一部を押圧して補助錠を施錠し、下方の補助錠を解錠する時には、揺動片は補助錠の一部で押圧されて連結片に近接し、揺動片が連結片を介して主錠を押圧できなくなることを特徴とする錠である。
【０００７】
本発明で採用する連結機構は、主錠を操作して施錠動作を行う場合にのみ、主錠と補助錠とが連動し、補助錠も施錠可能である。
また、前記連結機構は補助錠を操作して行う解錠動作を主錠に連動させない。換言すれば、補助錠の解錠動作では、主錠を解錠することができない。
つまり、主錠と補助錠とは、主錠の施錠動作においてのみ連動可能であり、解錠動作においては連動不可能である。
本発明の錠によれば、施錠することが容易にでき、且つ解錠することが容易にできない。
【０００８】
連結片は、主錠を操作して施錠する場合には変形しないが、補助錠を操作して解錠する場合に変形する。すなわち、補助錠が解錠されても、連結片が変形するため、連結片は連動できず主錠は解錠されない。つまり、補助錠と主錠とを各々個別に解錠できる。
本発明の錠によれば、簡素な部材で目的とする錠を構成できる。
【０００９】
連結片から離れる方向に付勢された揺動片は、付勢力によってその姿勢を保持している。つまり、揺動片は、主錠を操作して施錠する際には変形することはない。また、揺動片は、補助錠を操作して解錠する際に連結片に近接する。つまり、揺動片は、補助錠が解錠される時にのみ変形する。
本発明の錠によれば、確実な作動が可能である。
【００１０】
請求項２に記載の発明は、１つの扉に主錠と少なくとも１つの補助錠とが固定されてなる錠において、主錠に補助錠を連動させて施錠可能な連結機構を有し、前記連結機構は補助錠の解錠動作を主錠に連動させず、主錠および補助錠を各々個別に解錠可能であり、連結機構は連結片を有し、主錠と補助錠とは連結片で連結されており、主錠を施錠すると連結片が補助錠の一部を押圧して補助錠が施錠されるものであり、補助錠を解錠する際には連結片は補助錠の一部で押圧されて変形し、連結片が主錠を押圧できなくなり、連結片は揺動片を有し、揺動片は連結片に揺動可能に軸支され、且つ揺動片の一方の端部は連結片から離れる方向に付勢されており、主錠の施錠時には、揺動片は付勢力によってその姿勢を保持し、補助錠の解錠時には、揺動片は補助錠の一部で押圧されて連結片に近接し、補助錠は補助デッドハブを有し、補助デッドハブは揺動片に連動可能であり、主錠の施錠時には、揺動片が補助デッドハブを押圧して施錠方向に回動させ、補助錠の解錠時には、補助デッドハブが解錠方向に回動して揺動片を押圧することを特徴とする錠である。
【００１１】
デッドハブは、カム機構を有した一般的な錠部材であり、キーシリンダーやサムターンに連結されるものである。そのデッドハブを応用した補助デッドハブは、揺動片と相互に押圧可能な位置関係にある。
本発明の錠によれば、より簡素な部材で構成できる。
【００１２】
請求項３に記載の発明は、揺動片は押圧面と乗上面を有し、押圧面は揺動片の外周面に位置しており、乗上面は押圧面に直交する位置に有り、補助デッドハブは腕部を有し、腕部の先端側には当接部が設けられており、主錠が解錠された状態においては、押圧面は当接部に略対向する位置にあり、主錠の施錠時には、押圧面が当接部を押圧して補助デッドハブを回動させると、乗上面と当接部とが略対向することを特徴とする請求項２に記載の錠である。
【００１３】
補助デッドハブの当接部に略対向配置された揺動片の押圧面は、主錠の施錠時において、当接部を確実に押圧できる。その結果、確実に補助デッドハブを回動させて、補助錠を施錠できる。そして、押圧面に略対向していた当接部は、回動したことによって、乗上面と略対向する姿勢へと変化している。この状態においては、補助錠の解錠時に、当接部が回動して揺動片を押圧した場合にでも、押圧面は当接部から押圧されることはない。つまり、補助錠の解錠時には、当接部が乗上面を押圧して、揺動片を変形させる。
本発明の錠によれば、より確実な作動が可能である。
【００１４】
請求項４に記載の発明は、補助錠の解錠時に、補助デッドハブは乗上面に乗り上げることを特徴とする請求項３に記載の錠である。
【００１５】
揺動片に乗り上げた補助デッドハブは、揺動片を強固に固定可能である。すなわち、補助錠の解錠時に、連結片と揺動片とを近接させた状態で固定できる。
本発明の錠によれば、誤作動を防止できる。
【００１６】
請求項５に記載の発明は、乗上面は、揺動片の少なくとも１つの角部を面取り加工してなることを特徴とする請求項４に記載の錠である。
【００１７】
面取り加工にて形成された乗上面は、補助デッドハブをより乗せ易い構造である。
本発明の錠によれば、確実に誤作動を防止できる。
【００１８】
請求項６に記載の発明は、請求項１〜５のいずれかに記載の錠を有することを特徴とする扉構造である。
【００１９】
請求項１〜５のいずれかに記載の錠を有する扉構造では、扉に取り付けられた主錠と補助錠とを、主錠の施錠動作においてのみ連動可能とし、解錠動作においては連動不可能としている。
本発明の扉構造によれば、施錠することが容易にでき、且つ解錠することが容易にできない。
【発明の効果】
【００２０】
本発明の錠および扉構造によれば、施錠することが容易にでき、且つ解錠することは容易にできない。
【図面の簡単な説明】
【００２１】
【図１】本発明の実施形態に係る錠および扉構造を示す正面図である。
【図２】主錠の内部構造を示す正面図である。
【図３】主錠が取り得る姿勢を示した説明図であり、（ａ）は解錠状態、（ｂ）は施錠状態である。
【図４】補助錠の内部構造を示す正面図である。
【図５】補助デッドハブを示す図であり、（ａ）は正面図、（ｂ）は右側面図である。
【図６】下側の連結片を示す図であり、（ａ）は正面図、（ｂ）は左側面図である。
【図７】揺動片を示す拡大図であり、（ａ）は正面図、（ｂ）は左側面図、（ｃ）は（ａ）のＡ−Ａ断面図、（ｄ）は底面図である。
【図８】補助錠が取り得る姿勢を示した説明図であり、（ａ）は解錠状態、（ｂ）は施錠状態である。
【図９】補助錠が施錠状態から解錠状態へ移行した姿勢を示す説明図である。
【図１０】主錠２に連動させて補助錠３を施錠した際の補助デッドハブ２０と揺動片７との動きを示す説明図であり、（ａ）は施錠前、（ｂ）は施錠中、（ｃ）は施錠後である。
【図１１】補助錠３を操作して解錠した際の補助デッドハブ２０と揺動片７との動きを示す正面図および断面図であり、（ａ）は解錠前、（ｂ）は解錠中、（ｃ）は解錠後である。
【図１２】補助錠３を操作して解錠した際の補助デッドハブ２０と揺動片７との動きを示す側面図であり、（ａ）は解錠前、（ｂ）は解錠中、（ｃ）は解錠後である。
【図１３】揺動片を示す斜視図である。
【発明を実施するための形態】
【００２２】
以下は、本発明の錠および扉構造の実施形態について、図面を参照しながら詳細に説明する。なお、以下の説明は、実施形態の理解を容易にするためのものであり、これによって、本発明が制限して理解されるべきではない。
【００２３】
図１に示すように、錠１は玄関扉やドア等の扉８に取り付けて使用する錠であり、１つの扉８を複数の錠で施錠するためのものである。錠１は、主錠２と、補助錠３と、連結機構４とを有している。主錠２は上側に位置し、補助錠３は下側に位置している。連結機構４は、連結片５，６を有している。連結片５，６同士は上下方向に一体化して移動するように連結されている。
【００２４】
主錠２は、筺体６０を有している。筺体６０は、上ケース６１と、下ケース６２とを有している。連結片５は、筺体６０内に大部分が位置しており、筺体６０から連結片５の一部が下向きに出ている。
補助錠３は、筺体６５を有している。筺体６５は、上ケース６６と、下ケース６７とを有している。連結片６は、筺体６５内に大部分が位置しており、筺体６５から連結片６の一部が上向きに出ている。
【００２５】
図２は、主錠２の内部構造を示す正面図であり、筺体６０から上ケース６１とカバー６３を取り外した状態である。図２に示すように、主錠２は、主デッドハブ１０と、デッドボルト１１と、鎌１２と、ラッチヘッド１３と、ラッチケース１４と、レバー１５，１６とを有している。
【００２６】
主デッドハブ１０は、図示しないキーシリンダーおよびサムターンに連結され、操作されるものである。主デッドハブ１０は、円筒状の軸部１０ａと、略三日月状の腕部１０ｂとを有している。軸部１０ａは筺体６０に軸支されている。軸部１０ａには貫通孔１０ｃが設けられている。貫通孔１０ｃはキーシリンダーおよびサムターンに連結される。腕部１０ｂは、凸部１０ｄを有している。凸部１０ｄは、後述するデッドボルト１１の凹部１１ｃを押し引きするためのものである。腕部１０ｂの先端側には、連結片５に係合可能な貫通孔１０ｅが設けられている。連結片５は、長尺状の板部材であり、両端部に略コ字状の係合部５ａ，５ｂを有している。貫通孔１０ｅと係合部５ａは、ピン７０で係合している。
【００２７】
デッドボルト１１は、玄関扉等を施錠するための主要部品である。デッドボルト１１は、本体部１１ａを有している。本体部１１ａは、ガイド孔１１ｂと、凹部１１ｃと、貫通孔１１ｄを有している。ガイド孔１１ｂは、本体部１１ａの長手方向に沿って設けられた孔である。ガイド孔１１ｂにはピン７１が挿通されている。ピン７１は筺体６０に固定されている。このことにより、デッドボルト１１は、ガイド孔１１ｂに沿ってスライド可能である。凹部１１ｃは、本体部１１ａの後ろ側に設けられた窪みである。凹部１１ｃは、主デッドハブ１０の凸部１０ｄと当接可能である。貫通孔１１ｄにはピン７３が挿通されている。デッドボルト１１の内部には鎌１２が位置している。
【００２８】
鎌１２は、デッドボルト１１に連動して筺体６０から突出するものである。鎌１２は、本体部１２ａを有している。本体部１２ａは、貫通孔１２ｂと、ガイド孔１２ｃと、後述する先端部１２ｄを有している。貫通孔１２ｂにはピン７２が挿通されている。ピン７２は筺体６０に固定されている。このことにより、鎌１２は、ピン７２を支点として、作動可能である。ガイド孔１２ｃは、本体部１２ａに設けられている。ガイド孔１２ｃには、デッドボルト１１の貫通孔１１ｄを介してピン７３が挿通されている。換言すれば、鎌１２はデッドボルト１１を懸架した状態である。
【００２９】
ラッチヘッド１３は、玄関扉等を仮締めするためのものである。ラッチヘッド１３は、筺体６０に固定されたラッチケース１４内に位置している。ラッチヘッド１３の一部は、ラッチケース１４から突出している。ラッチヘッド１３は、図示しない弾性部材で付勢されている。ラッチヘッド１３は、レバー１５の一部と係合している。レバー１５，１６は、筺体６０に回動可能に軸支されている。レバー１５，１６は連結されている。ラッチヘッド１３と、ラッチケース１４と、レバー１５，１６とは、プッシュプル機構を構成している。レバー１５，１６の間の空間１７を押し拡げると、ラッチヘッド１３が反転可能な状態となる。
【００３０】
図３は主錠２が取り得る姿勢を示した説明図であり、図３（ａ）は解錠状態、図３（ｂ）は施錠状態である。
図３（ａ）の解錠状態では、デッドボルト１１（本体部１１ａ）は筺体６０内に収まっている。この時、主デッドハブ１０は、腕部１０ｂが上を向く姿勢で保持されている。腕部１０ｂに連結された連結片５も、係合部５ａが筺体６０の上端側に近接するように位置している。この状態において、キーシリンダーおよびサムターンを操作して、主デッドハブ１０を時計回りに回動させると、凸部１０ｄがデッドボルト１１の凹部１１ｃを押す。押されたデッドボルト１１（本体部１１ａ）は、ガイド孔１１ｂに沿って左方向にスライドし、図３（ｂ）の施錠状態となる。
【００３１】
図３（ｂ）の施錠状態では、デッドボルト１１（本体部１１ａ）は筺体６０から外に突出している。本体部１１ａのスライドに伴って鎌１２も回動しており、本体部１１ａから先端部１２ｄが突出している。この時、主デッドハブ１０は、腕部１０ｂが略水平方向を向く姿勢で保持されている。腕部１０ｂの回動に伴って、連結片５は下降している。
【００３２】
図３（ｂ）の施錠状態から、主デッドハブ１０を反時計回りに回動させると、連結片５は上昇する。その結果、主錠２は、図３（ａ）の解錠状態となる。すなわち、主錠２を操作して施錠すると連結片５が下降し、主錠２を操作して解錠すると連結片５が上昇する。連結片５は連結片６に連結されていることから、主錠２を操作すると、連結機構４（連結片５，６）を昇降させることができる。
【００３３】
なお、主デッドハブ１０は、図示しない略Ｓ状の弾性部材で解錠する方向（反時計回り）に付勢されている。この弾性部材は、主デッドハブ１０より付勢方向とは逆向きの方向に一定の角度だけ押圧されると、思案点を超えるため、付勢する方向が反転するという挙動を示す。すなわち、解錠する方向（反時計回り）に付勢されていた主デッドハブ１０を一定の角度だけ押圧すると、主デッドハブ１０を施錠する方向（時計回り）に付勢される。
【００３４】
図４は、補助錠の内部構造を示す正面図であり、筺体６５から上ケース６６を取り外した状態である。図４に示すように、補助錠３は、補助デッドハブ２０と、デッドボルト２１と、鎌２２とを有している。補助デッドハブ２０の近傍には連結片６が位置している。連結片６に設けられたガイド孔６ｃは、下ケース６７に設けられたピン６８に挿通されている。連結片６は、ガイド孔６ｃに沿って、昇降可能である。
【００３５】
デッドボルト２１と鎌２２については、前述のデッドボルト１１と鎌１２と略同一の形状および挙動を示すものであり、簡単に説明する。
デッドボルト２１は、本体部２１ａを有している。本体部２１ａは、ガイド孔２１ｂと、凹部２１ｃと、貫通孔２１ｄとを有している。ガイド孔２１ｂにはピン７４が挿通されている。貫通孔２１ｄにはピン７６が挿通されている。ピン７４，７６は、筺体６５に固定されている。
鎌２２は、本体部２２ａを有している。本体部２２ａは、貫通孔２２ｂと、ガイド孔２２ｃと、後述する先端部２２ｄとを有している。貫通孔２２ｂにはピン７５が挿通されている。ガイド孔２２ｃにはピン７６が挿通されている。ピン７５は、筺体６５に固定されている。
【００３６】
図５（ａ）は、補助デッドハブ２０の正面図である。補助デッドハブ２０は、図示しないキーシリンダーおよびサムターンに連結される。補助デッドハブ２０は、円筒状の軸部２０ａと、略凹状の腕部２０ｂとを有している。軸部２０ａは筺体６５に軸支されている。軸部２０ａには貫通孔２０ｃが設けられている。貫通孔２０ｃは図示しないキーシリンダーおよびサムターンに連結される。腕部２０ｂは、凸部２０ｄを有している。凸部２０ｄは、デッドボルト２１の凹部２１ｃを押し引きするためのものである。腕部２０ｂの先端側には、連結片６に当接可能な当接部２０ｅが設けられている。
【００３７】
当接部２０ｅは、腕部２０ｂの先端側の角部２０ｇに隣接し、且つ腕部２０ｂの側面に位置している。当接部２０ｅは、図５（ｂ）に示すように、平坦な面である。当接部２０ｅは、側面視で略台形状を成している。当接部２０ｅの近傍には、斜面２０ｆが位置している。斜面２０ｆは、角部２０ｇの背面側に位置している。斜面２０ｆは、角部２０ｇの背面側を面取り加工して形成されている。
【００３８】
図６（ａ）は、連結片６の正面図である。連結片６は、本体部６ａを有している。本体部６ａは、係合部６ｂと、ガイド孔６ｃとを有している。本体部６ａは、長尺状の板部材である。図６（ｂ）の側面図に示すように、本体部６ａはコ字状であり、上片６ｅと下片６ｆとを有している。
本体部６ａの上端側には、係合部６ｂが位置している。係合部６ｂは、係合ピン６ｄを有している。係合ピン６ｄは、連結片５の係合部５ｂに連結される。ガイド孔６ｃは、上片６ｅと下片６ｆの中腹にそれぞれ設けられた孔である。本体部６ａの下端側には、揺動片７が位置している。
【００３９】
図７（ａ）〜（ｄ）に示すように、揺動片７は、本体部７ａを有している。本体部７ａは、押圧面７ｂと、乗上面７ｃと、先鋭部７ｄと、貫通孔７ｅとを有している。
本体部７ａは、略長方形の板状部材である。本体部７ａの一方の端部である底面には、押圧面７ｂが位置している。押圧面７ｂは、平坦な面である。
【００４０】
本体部７ａの正面左側の角部７ｆには、乗上面７ｃが位置している。乗上面７ｃは、角部７ｆを面取り加工して形成された面である。乗上面７ｃは、押圧面７ｂに直交する位置にある。乗上面７ｃと押圧面７ｂ同士が近接する位置には、先鋭部７ｄが設けられている。先鋭部７ｄは、鋭角に尖った部位である。先鋭部７ｄの先端は、乗上面７ｃよりも高い位置にある。
【００４１】
本体部７ａの左側面には、貫通孔７ｅが設けられている。貫通孔７ｅにはピン７７が挿通されている。ピン７７は、本体部６ａに回動可能に軸止されている。なお、下片６ｆは、枠片６ｇを有している。
また、本体部７ａは、図７（ｂ）に示すように、図示しない付勢部材で、押圧面７ｂが下片６ｆから離れる方向に付勢されている。このことにより、本体部７ａは、正面側から押圧されると、ピン７７を支点として揺動し、下片６ｆに近接する。押圧をやめると、本体部７ａは図示しない付勢部材で付勢されているため、下片６ｆから離れる方向に復帰する。
【００４２】
図８は補助錠が取り得る姿勢を示した説明図であり、図８（ａ）は解錠状態、図８（ｂ）は施錠状態である。
図８（ａ）の解錠状態では、デッドボルト２１（本体部２１ａ）は筺体６５内に収まっている。この時、補助デッドハブ２０は、腕部２０ｂが上を向く姿勢で保持されている。連結片６は、腕部２０ｂに対向する位置にあり、ガイド孔６ｃの下端部がピン６８に当止している。
【００４３】
この状態において、主錠２を操作して施錠動作を行うと、連結片５が下降する。連結片５の下降に伴って、連結片５に連結された連結片６（揺動片７）も下降する。連結片６は、ガイド孔６ｃの上端部がピン６８に当止するまで、ガイド孔６ｃに沿って下降する。下降した連結片６（揺動片７）は、腕部２０ｂを押圧し、補助デッドハブ２０を施錠方向（時計回り）に回動させる。以下は、前述の主錠２の施錠動作と同様であり、説明を省略する。
【００４４】
図８（ｂ）の施錠状態では、デッドボルト２１は筺体６５から外に突出している。デッドボルト２１からは鎌２２（先端部２２ｄ）が突出している。この時、補助デッドハブ２０は、腕部２０ｂが略水平方向を向く姿勢で保持されている。連結片６（揺動片７）は、腕部２０ｂに隣接する位置にある。
【００４５】
図９は、補助錠３を操作して施錠状態から解錠状態へ移行した姿勢を示す。すなわち、補助デッドハブ２０を、図示しないキーシリンダーおよびサムターンを操作して解錠方向（反時計回り）に回動させた状態である。略水平方向にあった腕部２０ｂは、上を向く姿勢へと変化している。腕部２０ｂは、反時計回りに回動する際に、隣接する位置にあった揺動片７を横側から押圧している。横側から押圧された揺動片７は、揺動して下片６ｆに近接している。換言すれば、揺動片７を有する連結片６が、腕部２０ｂから押圧されて変形している。腕部２０ｂは、揺動片７に正面視で重なる位置へと至っている。
【００４６】
この時、連結片６は、ガイド孔６ｃの上端部がピン６８に当止したままである。つまり、連結片６は上昇せず、その位置に留まったままである。その結果、連結片６に連結された連結片５も上昇せず、その位置に留まったままである。すなわち、補助錠３を操作して解錠しても、連結機構４（連結片５，６）は上昇せず、連結片５を有する主錠２は施錠状態のままであり、解錠されない。換言すれば、補助錠３からは連結機構４（連結片５，６）の操作が不可能であり、主錠２を解錠ならびに施錠することができない。
【００４７】
なお、補助錠３は、図示しないキーシリンダーおよびサムターンを操作して補助デッドハブ２０を施錠方向（時計回り）に回動すると、施錠可能である。すなわち、主錠２に連結された連結機構４（連結片５，６）から押圧されなくても、補助デッドハブ２０を操作することで施錠可能である。換言すれば、補助錠３は主錠２とは関係なく、単独で操作して施錠ならびに解錠することができる。
【００４８】
つぎに、図１０〜１２を用いて、補助デッドハブ２０と揺動片７との動きを詳しく説明する。
図１０は主錠２に連動させて補助錠３を施錠した際の補助デッドハブ２０と揺動片７との動きを示す説明図であり、（ａ）は施錠前、（ｂ）は施錠中、（ｃ）は施錠後である。
図１０（ａ）の施錠前においては、当接部２０ｅは、押圧面７ｂに略対向する位置にある。腕部２０ｂは、上向きの姿勢である。主錠２を操作して連結機構４（連結片５，６）を下降させると、揺動片７も下降する。
【００４９】
図１０（ｂ）の施錠中においては、揺動片７の下降に伴って、押圧面７ｂが当接部２０ｅを押圧すると、腕部２０ｂは軸部２０ａを支点として、時計回り（施錠方向）に回動する。
図１０（ｃ）の施錠後においては、押圧面７ｂは当接部２０ｅに直交する位置に至っている。腕部２０ｂは、水平方向を向いている。当接部２０ｅは、乗上面７ｃに略対向している。
【００５０】
図１１は補助錠３を操作して解錠した際の補助デッドハブ２０と揺動片７との動きを示す正面図および断面図であり、（ａ）は解錠前、（ｂ）は解錠中、（ｃ）は解錠後である。
図１１（ａ）の解錠前においては、補助デッドハブ２０と揺動片７は、図１０（ｃ）と同一の姿勢にある。すなわち、当接部２０ｅは、乗上面７ｃに略対向する位置にある。この状態において、図示しないキーシリンダーおよびサムターンを操作して補助デッドハブ２０を反時計回り（解錠方向）に回動させる。すると、腕部２０ｂが軸部２０ａを支点として、反時計回り（解錠方向）に回動し始める。
【００５１】
図１１（ｂ）の解錠中においては、腕部２０ｂの回動に伴って、当接部２０ｅが乗上面７ｃを押圧し、乗上面７ｃに乗り上げている。乗上面７ｃは、角部７ｆを面取りして形成されたものである。このため、回動された当接部２０ｅは、乗上面７ｃに容易に乗り上げることができる。さらに、当接部２０ｅの近傍には斜面２０ｆがあることから、当接部２０ｅは乗上面７ｃに乗り上げ易い。
図１１（ｃ）の解錠後においては、腕部２０ｂの回動に伴って、腕部２０ｂの大部分が本体部７ａに乗り上げている。当接部２０ｅおよび斜面２０ｆも、本体部７ａに乗り上げている。
【００５２】
図１２は補助錠３を操作して解錠した際の補助デッドハブ２０と揺動片７との動きを示す側面図であり、（ａ）は解錠前、（ｂ）は解錠中、（ｃ）は解錠後である。なお、図１２においては、動きを分かり易く説明するために、揺動片７および連結片６の一部を水平方向に描写している。
【００５３】
図１２（ａ）の解錠前においては、当接部２０ｅは、乗上面７ｃに略対向する位置にある。揺動片７は、下片６ｆから離れる方向に角度Ｘだけ付勢されている。この時、当接部２０ｅの近傍には先鋭部７ｄが位置している。図１３に示すように、先鋭部７ｄは、多角形の角錐の一部のような形状である。例えば、当接部２０ｅが先鋭部７ｄに当たった場合には、当接部２０ｅは乗上面７ｃの方へ逃げる。つまり、先鋭部７ｄは、当接部２０ｅを乗上面７ｃに誘導するためのものである。
【００５４】
図１２（ｂ）の解錠中においては、当接部２０ｅが乗上面７ｃに乗り上げている。この時、当接部２０ｅは乗上面７ｃを下片６ｆに近接する方向に押圧している。揺動片７の付勢角度は、角度Ｘから角度Ｙへと変化している。
図１２（ｃ）の解錠後においては、当接部２０ｅは本体部７ａに乗り上げている。この時、揺動片７の付勢角度は、角度Ｙから角度Ｚへと変化しており、揺動片７は下片６ｆに近接している。
【００５５】
なお、補助デッドハブ２０は、図示しない略Ｓ状の弾性部材で解錠する方向（反時計回り）に付勢されている。この弾性部材は、補助デッドハブ２０より付勢方向とは逆向きの方向に一定の角度だけ押圧されると、思案点を超えるため、付勢する方向が反転するという挙動を示す。すなわち、解錠する方向（反時計回り）に付勢されていた補助デッドハブ２０を一定の角度だけ押圧すると、補助デッドハブ２０を施錠する方向（時計回り）に付勢される。
【００５６】
前述のように、本実施形態で採用する連結機構４（連結片５，６）は、主錠２を操作して施錠動作を行う場合にのみ、主錠２と補助錠３とが連動し、補助錠３も施錠可能である。
また、連結機構４は補助錠３を操作して行う解錠動作を主錠２に連動させない。換言すれば、補助錠３の解錠動作では、主錠２を解錠することができない。
つまり、主錠２と補助錠３とは、主錠２の施錠動作においてのみ連動可能であり、解錠動作においては連動不可能である。
【００５７】
連結片６は、主錠２を操作して施錠する場合には変形しないが、補助錠３を操作して解錠する場合に変形する。すなわち、補助錠３が解錠されても、連結片６が変形するため、連結片５は連動できず主錠２は解錠されない。つまり、補助錠３と主錠２とを各々個別に解錠できる。
【００５８】
連結片６から離れる方向に付勢された揺動片７は、付勢力によってその姿勢を保持している。つまり、揺動片７は、主錠２を操作して施錠する際には変形することはない。また、揺動片７は、補助錠３を操作して解錠する際に連結片６に近接する。つまり、揺動片７は、補助錠３が解錠される時にのみ変形する。
【００５９】
デッドハブは、カム機構を有した一般的な錠部材であり、キーシリンダーやサムターンに連結されるものである。そのデッドハブを応用した補助デッドハブ２０は、揺動片７と相互に押圧可能な位置関係にある。
補助デッドハブ２０の当接部２０ｅに略対向配置された揺動片７の押圧面７ｂは、主錠２の施錠時において、当接部２０ｅを確実に押圧できる。その結果、確実に補助デッドハブ２０を回動させて、補助錠３を施錠できる。
【００６０】
そして、押圧面７ｂに略対向していた当接部２０ｅは、回動したことによって、乗上面７ｃと略対向する姿勢へと変化している。乗上面７ｃと押圧面７ｂとは直交する位置関係にあることから、当接部２０ｅは向きを略９０度変えたことになる。この状態においては、補助錠３の解錠時に、当接部２０ｅが回動して揺動片７を押圧した場合にでも、押圧面７ｂは当接部２０ｅから押圧されることはない。つまり、補助錠３の解錠時には、当接部２０ｅが乗上面７ｃを押圧して、揺動片を変形させる。
【００６１】
揺動片７に乗り上げた補助デッドハブ２０は、揺動片７を強固に固定可能である。すなわち、補助錠３の解錠時に、連結片６と揺動片７とを近接させた状態で固定できる。
面取り加工にて形成された乗上面７ｃは、補助デッドハブ２０をより乗せ易い構造である。
【００６２】
錠１を有する扉構造では、扉８に取り付けられた主錠２と補助錠３とを、主錠２の施錠動作においてのみ連動可能とし、解錠動作においては連動不可能としている。
【００６３】
以上のように、本発明の錠１および扉構造によれば、施錠することが容易にでき、且つ解錠することが容易にできない。
【符号の説明】
【００６４】
１      錠
２      主錠
３      補助錠
４      連結機構
５，６  連結片
７      揺動片
７ｂ    押圧面
７ｃ    乗上面
７ｆ    角部
８      扉
２０      補助デッドハブ
２０ｂ    腕部
２０ｅ    当接部
【図１】
0005324535.tif 000002
【図２】
0005324535.tif 000003
【図３】
0005324535.tif 000004
【図４】
0005324535.tif 000005
【図５】
0005324535.tif 000006
【図６】
0005324535.tif 000007
【図７】
0005324535.tif 000008
【図８】
0005324535.tif 000009
【図９】
0005324535.tif 000010
【図１０】
0005324535.tif 000011
【図１１】
0005324535.tif 000012
【図１２】
0005324535.tif 000013
【図１３】
0005324535.tif 000014